(57)【要約】      （修正有）【課題】少なくとも２つのネットワーク端末が接続される無線ネットワークを容易かつ安全に利用する。【解決手段】携帯端末ＭＣとコンピューターＰＣ１，ＰＣ２とが接続される無線ＬＡＮにおいて、携帯端末ＭＣには、複数の無線ＬＡＮに接続するためのネットワーク設定情報８１が記憶されている。携帯端末ＭＣの管理者が無線ＬＡＮを指定した上で、携帯端末ＭＣのＩＣチップライター９６をコンピューターＰＣ１のＩＣチップにかざすと、携帯端末ＭＣは、指定されたネットワーク設定情報８１をＩＣチップに書き込む。コンピューターＰＣ１は、ＩＣチップへの書込みを検出し、書き込まれたネットワーク設定情報８１でネットワーク設定を行う。【選択図】図３
2010212880.tif 000002
【特許請求の範囲】
【請求項１】
少なくとも第１ネットワーク端末と第２ネットワーク端末の２つのネットワーク端末が接続される無線ネットワークを利用するネットワーク利用方法であって、
第１ネットワーク端末に、前記無線ネットワークで通信を行うためのネットワーク設定情報を保持させる設定情報保持工程と、
前記保持したネットワーク設定情報を、前記第１ネットワーク端末に接続された非接触式の通信手段によって、前記第２ネットワーク端末に送信する設定情報送信工程と、
前記第２ネットワーク端末に接続された非接触式の通信手段によって、前記ネットワーク設定情報を受信する設定情報受信工程と、
前記受信したネットワーク設定情報を用いて、前記第２ネットワーク端末にネットワーク設定を行う設定工程と
を備えたネットワーク利用方法。
【請求項２】
請求項１記載のネットワーク利用方法であって、
更に、
前記第１ネットワーク端末に、前記設定工程で設定されたネットワーク設定をクリアするためのクリア情報を保持させるクリア情報保持工程と、
前記保持したクリア情報を、前記第１ネットワーク端末に接続された非接触式の通信手段によって、前記第２ネットワーク端末に送信するクリア情報送信工程と、
前記第２ネットワーク端末に接続された非接触式の通信手段によって、前記クリア情報を受信するクリア情報受信工程と、
前記受信したクリア情報を用いて、前記第２ネットワーク端末のネットワーク設定をクリアするクリア工程と
を備えたネットワーク利用方法。
【請求項３】
請求項１または請求項２記載のネットワーク利用方法であって、
前記設定情報保持工程で保持させるネットワーク設定情報は、複数の無線ネットワークに対応する各々の情報であり、
前記設定情報送信工程は、前記各々の情報の中から前記第１ネットワーク端末のユーザーにより選択されたネットワーク設定情報について、前記送信を行う
ネットワーク利用方法。
【請求項４】
請求項１ないし請求項３のいずれか記載のネットワーク利用方法であって、
更に、
前記第１ネットワーク端末を、前記無線ネットワークとは異なる外部ネットワークに接続する外部接続工程と、
前記外部ネットワークを介して、該外部ネットワークに接続されたサーバーから、前記ネットワーク設定情報を取得する取得工程と
を備えたネットワーク利用方法。
【請求項５】
請求項１ないし請求項４のいずれか記載のネットワーク利用方法であって、
更に、
前記第１ネットワーク端末を、前記無線ネットワークとは異なる外部ネットワークに接続する外部接続工程と、
前記第１ネットワーク端末を前記無線ネットワークに接続して、前記第２ネットワーク端末から該第１ネットワーク端末を介して前記外部ネットワークにアクセス可能とする内部接続工程と、
前記第１ネットワーク端末が、所定の場合に、前記第２ネットワーク端末からの該第１ネットワーク端末を介した前記外部ネットワークへのアクセスを制限するアクセス制限工程と
を備えたネットワーク利用方法。
【請求項６】
前記所定の場合は、前記第１ネットワーク端末が、前記第２ネットワーク端末が前記外部ネットワークへ送信するデータの内容が機密情報を含んでいると判断した場合である請求項５記載のネットワーク利用方法。
【請求項７】
前記所定の場合は、前記第１ネットワーク端末が、該第１ネットワーク端末のユーザーに、前記第２ネットワーク端末が前記外部ネットワークにアクセスすることを報知し、該第１ネットワーク端末のユーザーが、該外部ネットワークへのアクセスの不許可の指示を前記第１ネットワーク端末に入力した場合である請求項５または請求項６記載のネットワーク利用方法。
【請求項８】
更に、前記設定工程において設定されたネットワーク設定が、前記第２ネットワーク端末から直接的に前記外部ネットワークにアクセス可能なネットワーク設定に変更される場合に、該ネットワーク設定の変更を制限する変更制限工程を備えた請求項１ないし請求項７のいずれか記載のネットワーク利用方法。
【請求項９】
前記少なくとも第１ネットワーク端末と第２ネットワーク端末の２つのネットワーク端末のうちの第１ネットワーク端末は、携帯端末として働く請求項１ないし請求項８のいずれか記載のネットワーク利用方法。
【請求項１０】
第１ネットワーク端末と、無線ネットワークに接続された第２ネットワーク端末とを備え、該第２ネットワーク端末が該無線ネットワークを利用するネットワーク利用システムであって、
前記第１ネットワーク端末は、
前記無線ネットワークで通信を行うためのネットワーク設定情報を保持する保持手段と、
前記保持されたネットワーク設定情報を前記第２ネットワーク端末に非接触式通信で送信する送信手段と
を備え、
前記第２ネットワーク端末は、
前記第１ネットワーク端末から前記ネットワーク設定情報を非接触式通信で受信する受信手段と、
前記受信したネットワーク設定情報を用いて、前記第２ネットワーク端末にネットワーク設定を行う設定手段と
を備えた
ネットワーク利用システム。
【請求項１１】
第１ネットワーク端末を用いて、第２ネットワーク端末を、該第２ネットワーク端末が接続される無線ネットワーク上で利用させるためのコンピュータープログラムであって、
前記無線ネットワークで通信を行うためのネットワーク設定情報を保持する保持機能と、
前記保持したネットワーク設定情報を、前記第１ネットワーク端末が備える非接触式の通信手段によって、前記第２ネットワーク端末に送信する設定情報送信機能と
をコンピューターに実現させるプログラム。
【発明の詳細な説明】
【技術分野】
【０００１】
本発明は、少なくとも２つのネットワーク端末が接続される無線ネットワークを利用するネットワーク利用技術に関する。
【背景技術】
【０００２】
近年、モバイル機器の普及により、情報端末を、場所を変えながら異なるネットワークに接続して利用する機会が増加している。このような状況から、モバイル機器の利用を容易にする種々の技術が開発されている。例えば、下記特許文献１では、ユーザーＩＤ、パスワード及び暗号鍵を書き込んだＩＣカードをユーザーが通信端末のＩＣカードリーダーにかざして入力すると、通信端末がユーザーＩＤ及びパスワードを含む要求メッセージをサーバーに送信する。これに対して、サーバーは、受信したユーザーＩＤ及びパスワードで認証を行った後、通信用暗号鍵をユーザーの暗号鍵で暗号化して、通信端末に送信する。そして、通信端末は、暗号化された通信用暗号鍵を復号化することで、ＶＰＮ（Ｖｉｒｔｕａｌ Ｐｒｉｖａｔｅ Ｎｅｔｗｏｒｋ）を構築する技術を開示している。
【０００３】
しかしながら、特許文献１の技術では、ユーザーＩＤやパスワードを予めサーバーに登録しておく必要があり、また、ユーザーごとのＩＣカードにパスワードや暗号鍵を書き込む必要があり、ユーザーや管理者の負担が大きかった。
【先行技術文献】
【特許文献】
【０００４】
【特許文献１】特開２０００−５９３５７号公報
【発明の概要】
【発明が解決しようとする課題】
【０００５】
上述の問題を踏まえ、本発明が解決しようとする課題は、少なくとも２つのネットワーク端末が接続される無線ネットワークを容易かつ安全に利用することである。
【課題を解決するための手段】
【０００６】
本発明は、上述の課題の少なくとも一部を解決するためになされたものであり、以下の形態又は適用例として実現することが可能である。
【０００７】
［適用例１］少なくとも第１ネットワーク端末と第２ネットワーク端末の２つのネットワーク端末が接続される無線ネットワークを利用するネットワーク利用方法であって、
第１ネットワーク端末に、前記無線ネットワークで通信を行うためのネットワーク設定情報を保持させる設定情報保持工程と、
前記保持したネットワーク設定情報を、前記第１ネットワーク端末に接続された非接触式の通信手段によって、前記第２ネットワーク端末に送信する設定情報送信工程と、
前記第２ネットワーク端末に接続された非接触式の通信手段によって、前記ネットワーク設定情報を受信する設定情報受信工程と、
前記受信したネットワーク設定情報を用いて、前記第２ネットワーク端末にネットワーク設定を行う設定工程と
を備えたネットワーク利用方法。
【０００８】
かかるネットワーク利用方法は、ネットワーク設定情報を保持する第１ネットワーク端末から、無線ネットワークのネットワーク設定情報を非接触式の通信手段により第２ネットワーク端末に送信し、第２ネットワーク端末が受信したネットワーク設定情報を用いて、第２ネットワーク端末にネットワーク設定を行う。したがって、第２ネットワーク端末に無線ネットワーク設定を容易に行うことができる。また、第１ネットワーク端末のユーザーの管理下で、第１ネットワーク端末からの非接触式通信手段によって、ネットワーク設定情報の受け渡しを行えるので、受け渡しの過程でネットワーク設定情報が外部に漏洩することがなく、セキュリティを確保できる。
【０００９】
［適用例２］適用例１記載のネットワーク利用方法であって、更に、前記第１ネットワーク端末に、前記設定工程で設定されたネットワーク設定をクリアするためのクリア情報を保持させるクリア情報保持工程と、前記保持したクリア情報を、前記第１ネットワーク端末に接続された非接触式の通信手段によって、前記第２ネットワーク端末に送信するクリア情報送信工程と、前記第２ネットワーク端末に接続された非接触式の通信手段によって、前記クリア情報を受信するクリア情報受信工程と、前記受信したクリア情報を用いて、前記第２ネットワーク端末のネットワーク設定をクリアするクリア工程とを備えたネットワーク利用方法。
【００１０】
かかるネットワーク利用方法は、クリア情報を保持する第１ネットワーク端末から、クリア情報を非接触式の通信手段により第２ネットワーク端末に送信し、第２ネットワーク端末が受信したクリア情報を用いて、ネットワーク設定をクリアする。したがって、ネットワーク設定を容易にクリアすることができる。また、第１ネットワーク端末のユーザーの管理下で、ネットワーク設定をクリアできるので、無期限にネットワーク設定が保存されて、第１ネットワーク端末のユーザーの意に反したタイミングで第２ネットワーク端末が無線ネットワークに接続されることがなく、セキュリティを確保できる。
【００１１】
［適用例３］適用例１または適用例２記載のネットワーク利用方法であって、前記設定情報保持工程で保持させるネットワーク設定情報は、複数の無線ネットワークに対応する各々の情報であり、前記設定情報送信工程は、前記各々の情報の中から前記第１ネットワーク端末のユーザーにより選択されたネットワーク設定情報について、前記送信を行うネットワーク利用方法。
【００１２】
かかるネットワーク利用方法は、第１ネットワーク端末に保持された複数の無線ネットワークに対応するネットワーク設定情報の中から、所望のネットワーク設定情報を第２ネットワーク端末に送信し、設定することができるので、携帯第１ネットワーク端末を複数の無線ネットワークに対して兼用でき、利便性が高い。
【００１３】
［適用例４］適用例１ないし適用例３のいずれか記載のネットワーク利用方法であって、更に、前記第１ネットワーク端末を、前記無線ネットワークとは異なる外部ネットワークに接続する外部接続工程と、前記外部ネットワークを介して、該外部ネットワークに接続されたサーバーから、前記ネットワーク設定情報を取得する取得工程とを備えたネットワーク利用方法。
【００１４】
かかるネットワーク利用方法は、第１ネットワーク端末が外部ネットワークからネットワーク設定情報を取得するので、第１ネットワーク端末のユーザーは、ネットワーク設定情報を直接入力する必要がなく、利便性が高い。かかる効果は、第１ネットワーク端末が複数ある場合に顕著である。
【００１５】
［適用例５］適用例１ないし適用例４のいずれか記載のネットワーク利用方法であって、更に、前記第１ネットワーク端末を、前記無線ネットワークとは異なる外部ネットワークに接続する外部接続工程と、前記第１ネットワーク端末を前記無線ネットワークに接続して、前記第２ネットワーク端末から該第１ネットワーク端末を介して前記外部ネットワークにアクセス可能とする内部接続工程と、前記第１ネットワーク端末が、所定の場合に、前記第２ネットワーク端末からの該第１ネットワーク端末を介した前記外部ネットワークへのアクセスを制限するアクセス制限工程とを備えたネットワーク利用方法。
【００１６】
かかるネットワーク利用方法は、第１ネットワーク端末を外部ネットワークに接続し、第２ネットワーク端末からも、第１ネットワーク端末を介して外部ネットワークにアクセス可能とする場合に、第２ネットワーク端末からの外部ネットワークへのアクセスを制限できるので、無線ネットワーク内でセキュアなネットワークを構築する場合に、外部ネットワークへの情報の漏洩を好適に管理することができる。
【００１７】
［適用例６］前記所定の場合は、前記第１ネットワーク端末が、前記第２ネットワーク端末が前記外部ネットワークへ送信するデータの内容が機密情報を含んでいると判断した場合である適用例５記載のネットワーク利用方法。
【００１８】
かかるネットワーク利用方法は、第２ネットワーク端末から機密情報が外部ネットワークへ漏洩することを容易に抑制することができる。
【００１９】
［適用例７］前記所定の場合は、前記第１ネットワーク端末が、該第１ネットワーク端末のユーザーに、前記第２ネットワーク端末が前記外部ネットワークにアクセスすることを報知し、該第１ネットワーク端末のユーザーが、該外部ネットワークへのアクセスの不許可の指示を前記第１ネットワーク端末に入力した場合である適用例５または適用例６記載のネットワーク利用方法。
【００２０】
かかるネットワーク利用方法は、第１ネットワーク端末のユーザーの意思により、第２ネットワーク端末からの第１ネットワーク端末を介した外部ネットワークへのアクセスの可否を決定できるので、状況に応じた柔軟なアクセス制限を行うことができる。
【００２１】
［適用例８］更に、前記設定工程において設定されたネットワーク設定が、前記第２ネットワーク端末から直接的に前記外部ネットワークにアクセス可能なネットワーク設定に変更される場合に、該ネットワーク設定の変更を制限する変更制限工程を備えた適用例１ないし適用例７のいずれか記載のネットワーク利用方法。
【００２２】
かかるネットワーク利用方法は、第２ネットワーク端末が無線ネットワークと外部ネットワークとに同時接続することで、無線ネットワークでの通信内容が外部ネットワークに漏洩することを阻止できるので、無線ネットワーク内でセキュアなネットワークを構築する場合に、外部ネットワークへの情報の漏洩を好適に管理することができる。
【００２３】
［適用例９］前記少なくとも第１ネットワーク端末と第２ネットワーク端末の２つのネットワーク端末のうちの第１ネットワーク端末は、携帯端末として働く適用例１ないし適用例８のいずれか記載のネットワーク利用方法。
【００２４】
かかるネットワーク利用方法は、第１ネットワーク端末は、携帯端末として働き、可搬性に優れるので、ユーザーは、非接触式の通信手段によって、ネットワーク設定情報の送信を容易に行うことができる。また、ネットワーク端末と第１ネットワーク端末とを兼用することができるので、第１ネットワーク端末のユーザーがネットワーク端末を用いて無線ネットワークに接続したい場合に、ユーザーは、第１ネットワーク端末と第２ネットワーク端末の両方を操作する必要がなく、利便性が高い。
【００２５】
また、本発明は、適用例１０に示すネットワーク利用システム、当該システムを構成する第１ネットワーク端末または第２ネットワーク端末、適用例１１に示すコンピュータープログラム、当該プログラムを記録した記憶媒体等としても実現することができる。
【００２６】
［適用例１０］第１ネットワーク端末と、無線ネットワークに接続された第２ネットワーク端末とを備え、該第２ネットワーク端末が該無線ネットワークを利用するネットワーク利用システムであって、前記第１ネットワーク端末は、前記無線ネットワークで通信を行うためのネットワーク設定情報を保持する保持手段と、前記保持されたネットワーク設定情報を前記第２ネットワーク端末に非接触式通信で送信する送信手段とを備え、前記第２ネットワーク端末は、前記第１ネットワーク端末から前記ネットワーク設定情報を非接触式通信で受信する受信手段と、前記受信したネットワーク設定情報を用いて、前記第２ネットワーク端末にネットワーク設定を行う設定手段とを備えたネットワーク利用システム。
【００２７】
［適用例１１］第１ネットワーク端末を用いて、第２ネットワーク端末を、該第２ネットワーク端末が接続される無線ネットワーク上で利用させるためのコンピュータープログラムであって、前記無線ネットワークで通信を行うためのネットワーク設定情報を保持する保持機能と、前記保持したネットワーク設定情報を、前記第１ネットワーク端末が備える非接触式の通信手段によって、前記第２ネットワーク端末に送信する設定情報送信機能とをコンピューターに実現させるプログラム。
【図面の簡単な説明】
【００２８】
【図１】ネットワーク利用システム２０の概略構成を示す説明図である。
【図２】コンピューターＰＣ１の概略構成を示す説明図である。
【図３】携帯端末ＭＣの概略構成を示す説明図である。
【図４】ネットワーク設定処理の流れを示すフローチャートである。
【図５】ネットワーク設定処理におけるＧＵＩの一例を示す説明図である。
【図６】ネットワーク設定情報８１及びクリア情報８２の具体例を示す説明図である。
【図７】外部ネットワークアクセス制限処理の流れを示すフローチャートである。
【図８】機密情報判断処理の流れを示すフローチャートである。
【図９】外部ネットワークアクセス制限処理におけるＧＵＩの一例を示す説明図である。
【図１０】設定変更制限処理の流れを示すフローチャートである。
【発明を実施するための形態】
【００２９】
本発明の実施例について説明する。
Ａ．実施例：
Ａ−１．ネットワーク利用システム２０の構成：
本発明の実施例としてのネットワーク利用システム２０の概略構成を図１に示す。ネットワーク利用システム２０は、ネットワーク端末が、接続される無線ネットワークを利用するためのシステムであり、コンピューターＰＣ１，ＰＣ２及び携帯端末ＭＣが無線ＬＡＮ（Ｌｏｃａｌ Ａｒｅａ Ｎｅｔｗｏｒｋ）に接続されて構成される。コンピューターＰＣ１，ＰＣ２は請求項の第２ネットワーク端末に該当し、携帯端末ＭＣは請求項の第１ネットワーク端末に該当する。また、本実施例においては、携帯端末ＭＣは、外部ネットワークにも接続されている。外部ネットワークは、ここでは、有線ＬＡＮである。
【００３０】
コンピューターＰＣ１，ＰＣ２及び携帯端末ＭＣの接続環境は、無線ＬＡＮであればよく、例えば、無線ＬＡＮは、閉鎖的なネットワークであるＶＰＮで構築されてもよい。また、ネットワーク利用システム２０を構成するネットワーク端末や携帯端末の台数は、特に限定するものではなく、第１ネットワーク端末として働く少なくとも１台以上の端末と、第２ネットワーク端末として働く少なくとも１台以上の端末があればよい。また、携帯端末ＭＣが接続される外部ネットワークは、コンピューターＰＣ１，ＰＣ２が接続される無線ＬＡＮとは異なるネットワークであればよく、例えば、他の無線ＬＡＮ、ＷＡＮ（Ｗｉｄｅ Ａｒｅａ Ｎｅｔｗｏｒｋ）、インターネットなどであってもよい。
【００３１】
コンピューターＰＣ１，ＰＣ２の概略構成について図２を用いて説明する。本実施例では、コンピューターＰＣ１，ＰＣ２は、同様の構成であるため、コンピューターＰＣ２の説明は省略する。コンピューターＰＣ１は、所定のプログラムがインストールされたパーソナルコンピューターであり、図２に示すように、ＣＰＵ３０、ハードディスクドライブ５０、ＲＯＭ６１、ＲＡＭ６２、入力機構６３、ディスプレイ６４、ＩＣチップ６５、有線ＬＡＮインターフェース６７、無線ＬＡＮインターフェース６８を備えており、それぞれが内部バスで接続されている。
【００３２】
ＣＰＵ３０は、ハードディスクドライブ５０やＲＯＭ６１に記憶されたファームウェアやＯＳをＲＡＭ６２に展開して実行することで、コンピューターＰＣ１全体の制御を司る。また、ＣＰＵ３０は、ハードディスクドライブ５０に記憶されたプログラムを実行することで、検出部３１、設定部３２、変更制限部３３としても機能する。これらの機能部の詳細については後述する。
【００３３】
入力機構６３は、本実施例においては、キーボードとポインティングデバイス（ここではマウス）からなる。ディスプレイ６４は、本実施例においては、液晶ディスプレイであり、図示しないグラフィックコントローラを介して、画像を表示する。ＩＣチップ６５は、書き換え可能な非接触型のＩＣチップであり、コンピューターＰＣ１の筐体の表面付近に設けられている。有線ＬＡＮインターフェース６７は、有線ＬＡＮに接続するためのインターフェースである。無線ＬＡＮインターフェース６８は、本実施例では、ＩＥＥＥ８０２．１１に準拠した無線ＬＡＮに接続するためのインターフェースであり、図２では、コンピューターＰＣ１は、無線ＬＡＮインターフェース６８を介して無線ＬＡＮに接続されている。
【００３４】
携帯端末ＭＣの概略構成について図３を用いて説明する。携帯端末ＭＣは、所定のプログラムがインストールされたＰＤＡ（Ｐｅｒｓｏｎａｌ Ｄｉｇｉｔａｌ Ａｓｓｉｓｔａｎｔ）であり、図３に示すように、ＣＰＵ７０、ハードディスクドライブ８０、ＲＯＭ９１、ＲＡＭ９２、入力機構９３、ディスプレイ９４、ＩＣチップライター９６、有線ＬＡＮインターフェース９７、無線ＬＡＮインターフェース９８を備えており、それぞれが内部バスで接続されている。携帯端末ＭＣの構成は、上述したコンピューターＰＣ１と基本的に同様であるので、コンピューターＰＣ１と異なる構成についてのみ以下に説明する。
【００３５】
ＣＰＵ７０は、ハードディスクドライブ８０に記憶されたプログラムを実行することで、受付部７１、送信部７２、取得部７３、アクセス制限部７４としても機能する。これらの機能部の詳細については後述する。また、ＣＰＵ７０は、コンピューターＰＣ１，ＰＣ２が携帯端末ＭＣを介して有線ＬＡＮに接続するためのブリッジ機能も有している。
【００３６】
ハードディスクドライブ８０には、ネットワーク設定情報８１、クリア情報８２が記憶されている。ネットワーク設定情報８１とは、無線ＬＡＮに接続されるネットワーク端末（ここでは、コンピューターＰＣ１，ＰＣ２）が無線ＬＡＮ上で通信可能とするために必要な設定情報であり、本実施例では、複数の無線ＬＡＮのそれぞれに対応するネットワーク設定情報８１がハードディスクドライブ８０５０に記憶されている。本実施例では、ネットワーク設定情報８１は、携帯端末ＭＣの管理者が入力機構９３を用いて予め入力したものである。クリア情報８２は、既に設定されたネットワーク設定をクリアするための情報である。ネットワーク設定情報８１及びクリア情報８２の詳細については、後述する。ＩＣチップライター９６は、ＩＣチップへの情報の書込みを行う非接触型のライターであり、上述したコンピューターＰＣ１のＩＣチップ６５に対応する形式である。
【００３７】
Ａ−２．ネットワーク設定処理：
ネットワーク利用システム２０におけるネットワーク設定処理について図４を用いて説明する。ここでのネットワーク設定処理とは、コンピューターＰＣ１，ＰＣ２が無線ＬＡＮを介して通信を行うためのネットワーク設定を行う処理である。以降、コンピューターＰＣ１にネットワーク設定を行う処理として説明する。本実施例におけるネットワーク設定処理は、図４に示すように、携帯端末ＭＣの管理者が、携帯端末ＭＣのディスプレイ９４に表示されるＧＵＩ（Ｇｒａｐｈｉｃａｌ Ｕｓｅｒ Ｉｎｔｅｒｆａｃｅ）を用いて、無線ＬＡＮに接続するネットワーク端末の追加または削除の指示操作と、グループＩＤの選択操作とを行うことで開始される（操作Ａ１００）。グループＩＤとは、無線ＬＡＮが複数ある場合に、各々を識別するための識別情報である。
【００３８】
操作Ａ１００で用いられるＧＵＩの具体例を図５（ａ）に示す。操作Ａ１００を行うためのウィンドウＷ１は、「ネットワークに端末を追加」する操作と、「ネットワークから端末を削除」する操作とを選択可能となっており、図中の矢印は、「ネットワークに端末を追加」が選択されていることを示している。また、ウィンドウＷ１は、選択されたグループＩＤを表示させるサブウィンドウＳＷ１と、プルダウンボタンＰＢとを備えている。ユーザーがプルダウンボタンＰＢを押し下げると、図５（ｂ）に示すように、サブウィンドウＳＷ２が開き、グループＩＤの選択肢がプルダウン表示される。本実施例においては、サブウィンドウＳＷ２に表示されるグループＩＤは、予め管理者により携帯端末ＭＣに入力されたものであり、ネットワーク設定情報８１の数だけグループＩＤが表示される。なお、ここでは、「ネットワークに端末を追加」と、グループＩＤ「グループＡ」（図１に示した無線ＬＡＮ）が指示されたものとする。
【００３９】
操作Ａ１００が行われると、携帯端末ＭＣのＣＰＵ７０は、受付部７１の処理として、操作Ａ１００の指示を受け付ける（ステップＳ２００）。操作Ａ１００の指示を受け付けると、ＣＰＵ７０は、ＩＣチップ６５への書込み操作を管理者に行わせるための表示をディスプレイ９４に行う（ステップＳ２１０）。ここで、表示されるＧＵＩの具体例を図５（ｃ）に示す。この例では、ウィンドウＷ２に、無線ＬＡＮに追加するネットワーク端末に、携帯端末ＭＣをかざすよう指示表示がなされている。
【００４０】
そして、上記ステップＳ２１０の表示を受けて、管理者が携帯端末ＭＣのＩＣチップライター９６をコンピューターＰＣ１のＩＣチップ６５にかざすと（操作Ａ１１０）、ＩＣチップライター９６が発する信号を受信したＩＣチップ６５が動作を開始し、その応答を受けて、ＣＰＵ７０は、送信部７２の処理として、ステップＳ２００で受け付けたグループＩＤに対応するネットワーク設定情報８１をＩＣチップ６５に書き込む（ステップＳ２２０）。ここで書き込まれるネットワーク設定情報８１の具体例を図６（ａ）に概念的に示す。ネットワーク設定情報８１には、ネットワークの有効／無効の状態を示す情報や、通信方式、ＳＳＩＤ（Ｓｅｒｖｉｃｅ Ｓｅｔ Ｉｄｅｎｔｉｆｉｅｒ）、暗号化方式（ここでは、ＷＥＰ（Ｗｉｒｅｄ Ｅｑｕｉｖａｌｅｎｔ Ｐｒｉｖａｃｙ））、ＷＥＰキーが少なくとも含まれている。本実施例では、例えば、ネットワークの状態は「有効」であり、ＳＳＩＤは「ＳＳＩＤＧｒｏｕｐＡ」である。
【００４１】
一方、コンピューターＰＣ１では、ＣＰＵ３０が、検出部３１の処理として、ＩＣチップ６５への書込みを検出する（ステップＳ３００）。ここでは、ＣＰＵ３０は、ＩＣチップ６５に記憶された情報を定期的に読み込んでバックアップしており、ＩＣチップ６５の記憶内容とバックアップとが異なっている場合に、新たな書込みがされたとして検出する。ＩＣチップ６５への書込みを検出すると、ＣＰＵ３０は、設定部３２の処理として、書き込まれたネットワーク設定情報８１を読み込んでハードディスクドライブ５０に記憶して、ネットワーク設定を行う（ステップＳ３１０）。このようにして、ネットワーク設定処理は終了する。かかる処理により、コンピューターＰＣ１には、無線ＬＡＮに対応するネットワーク設定がなされ、無線ＬＡＮへの接続が可能な状態となる。
【００４２】
以上ネットワーク設定処理について説明したが、ネットワーク設定処理によってコンピューターＰＣ１に設定されたネットワーク設定を解除するネットワーク設定解除処理についても、以下に説明する。ネットワーク設定の解除の手順は、基本的に、ネットワーク設定処理と同様であるので詳しい説明は省略するが、管理者が「ネットワークから端末を削除」を選択すると（操作Ａ１００に相当）、携帯端末ＭＣがこれを受け付けて（ステップＳ２００に相当）、操作指示を表示する（ステップＳ２１０に相当）。ここで表示されるＧＵＩの具体例を図５（ｄ）に示す。この例では、ウィンドウＷ３に、無線ＬＡＮから削除するネットワーク端末に、携帯端末ＭＣをかざすよう指示表示がなされている。
【００４３】
そして、管理者が携帯端末ＭＣをＩＣチップ６５にかざすと（操作Ａ１１０に相当）、携帯端末ＭＣがクリア情報８２をＩＣチップ６５に書き込む（ステップＳ２２０に相当）。ここで書き込まれるクリア情報８２の具体例を図６（ｂ）に概念的に示す。図示するように、クリア情報８２には、ネットワークの状態が「無効」であることを示す情報、無効なＳＳＩＤ「００００００００００」等が含まれている。
【００４４】
一方、コンピューターＰＣ１は、クリア情報８２の書込みを検知して（ステップＳ３００に相当）、クリア情報８２をハードディスクドライブ５０に記憶し、ネットワーク設定を変更する（ステップＳ３１０に相当）。こうして、クリア情報８２の内容がコンピューターＰＣ１に設定されると、コンピューターＰＣ１は、無線ＬＡＮに接続できなくなる。
【００４５】
Ａ−３．外部ネットワークアクセス制限処理：
ネットワーク利用システム２０における外部ネットワークアクセス制限処理について図７を用いて説明する。ここでの外部ネットワークアクセス制限処理とは、上述のネットワーク設定処理により、コンピューターＰＣ１，ＰＣ２及びＭＣが通信可能となった後に、コンピューターＰＣ１，ＰＣ２の携帯端末ＭＣを介した有線ＬＡＮへのアクセスを、携帯端末ＭＣが制限する処理である。外部ネットワークアクセス制限処理における携帯端末ＭＣの処理は、ＣＰＵ７０がアクセス制限部７４の処理として実行するものである。以降、コンピューターＰＣ１が有線ＬＡＮへアクセスする際の処理として説明する。本実施例における外部ネットワークアクセス制限処理は、上述したネットワーク設定処理の後、図７に示すように、コンピューターＰＣ１のユーザーが、入力機構６３を操作して、有線ＬＡＮへのアクセス指示を行うことで開始される（操作Ａ１３０）。ここでのアクセスとは、例えば、ＷＥＢブラウザを用いて行うＨＴＴＰ（ＨｙｐｅｒＴｅｘｔ Ｔｒａｎｓｆｅｒ Ｐｒｏｔｏｃｏｌ）要求の送信や電子メールの送信である。かかる操作を受け付けると、コンピューターＰＣ１のＣＰＵ３０は、ブリッジとして働く携帯端末ＭＣへアクセスする（ステップＳ５００）。
【００４６】
一方、携帯端末ＭＣでは、コンピューターＰＣ１からのアクセスを受けて、機密情報判断処理を行う（ステップＳ４００）。この処理については、図８を用いて詳しく説明する。機密情報判断処理が開始されると、携帯端末ＭＣのＣＰＵ７０は、ハードディスクドライブ８０に確保された機密単語記憶領域のレコードを移動させて読み込みを行う（ステップＳ４０１）。ステップＳ４０１が始めて実行される場合には、最初のレコードが読み込まれる。ここでの機密単語記憶領域のレコードとは、機密情報を含むことが推認される単語、記号等であって、管理者が予め登録したものである。こうしたレコードとしては、例えば、「極秘」、「秘」、「顧客リスト」などとすることができる。
【００４７】
１つのレコードを読み込むと、ＣＰＵ７０は、コンピューターＰＣ１からの送信データにレコードが含まれるか否かを判断する（ステップＳ４０２）。その結果、レコードが含まれていれば（ステップＳ４０２：ＹＥＳ）、送信データには機密情報を含むと判断する（ステップＳ４０５）。一方、レコードが含まれていなければ（ステップＳ４０２：ＮＯ）、ＣＰＵ７０は、読み込んだレコードが最後のレコードであるか否かを判断する（ステップＳ４０３）。
【００４８】
その結果、最後のレコードでなければ（ステップＳ４０３：ＮＯ）、ＣＰＵ７０は、処理を上記ステップＳ４０１に戻し、上記ステップＳ４０１，Ｓ４０２の処理を繰り返す。一方、最後のレコードであれば（ステップＳ４０３：ＹＥＳ）、ＣＰＵ７０は、送信データには機密情報を含まないと判断する（ステップＳ４０４）。なお、一度、機密情報が含まれると判断されたデータと同一のデータを再度、コンピューターＰＣ１から受信した場合には、上述の判断を行わずに、機密情報を含むと判断してもよい。かかる同一性の判断は、例えば、携帯端末ＭＣが送信対象のファイル名を記憶しておき、再度、受信したデータのファイル名と照合することにより実現可能である。こうすれば、ＣＰＵ７０の演算負荷を低減することができる。
【００４９】
ここで説明を図７に戻す。上述のように機密情報判断処理を行うと、ＣＰＵ７０は、当該判断の結果が機密情報を含むものであった場合には（ステップＳ４１０：ＹＥＳ）、コンピューターＰＣ１からの送信データに機密情報が含まれる旨の警告メッセージをディスプレイ９４に表示する（ステップＳ４２０）。ここで表示されるＧＵＩの具体例を図９（ａ）に示す。この例では、機密情報が外部に送信されようとしている旨の警告と、当該送信を許可するかどうかの管理者の判断を受け付けるウィンドウが表示されている。
【００５０】
かかる警告表示を受けて、管理者は、入力機構９３を操作して、許可または不許可を入力指示する（操作Ａ１４０）。これに対して、携帯端末ＭＣでは、ＣＰＵ７０が、管理者の指示を受け付けて、管理者から送信許可がなされたか否かを判断する（ステップＳ４３０）。その結果、不許可であれば（ステップＳ４３０：ＮＯ）、ＣＰＵ７０は、アクセスが不許可となった旨をコンピューターＰＣ１に通知する（ステップＳ４６０）。
【００５１】
一方、管理者の入力が許可であれば（ステップＳ４３０：ＹＥＳ）、あるいは、上記ステップＳ４１０において、送信データに機密情報が含まれていないと判断すれば（ステップＳ４１０：ＮＯ）、ＣＰＵ７０は、有線ＬＡＮインターフェース９７を用いて、送信データを有線ＬＡＮへ転送する（ステップＳ４４０）。そして、ＣＰＵ７０は、有線ＬＡＮとの通信結果をコンピューターＰＣ１に送信する（ステップＳ４５０）。なお、ステップＳ４５０は、ステップＳ４４０の転送に対しての応答がある場合、例えば、転送したＨＴＴＰ要求に対するＨＴＴＰ応答を受信した場合にのみ行われるものであり、有線ＬＡＮへの応答を要求しないプロトコルなどであれば行われない。
【００５２】
一方、コンピューターＰＣ１では、ステップＳ４６０の通知またはステップＳ４５０の送信を受けて、ＣＰＵ３０が、有線ＬＡＮへのアクセス結果をディスプレイ６４に表示する（ステップＳ５１０）。ＣＰＵ７０がステップＳ４６０の通知を行った場合に、ステップＳ５１０で表示されるＧＵＩの具体例を図９（ｂ）に示す。この例は、携帯端末ＭＣからステップＳ４６０の通知を受けた場合の例であり、外部ネットワークへのアクセスが不許可となった旨の確認画面が表示されている。こうして、外部ネットワーク制限処理は終了となる。
【００５３】
Ａ−４．設定変更制限処理：
ネットワーク利用システム２０における設定変更制限処理について図１０を用いて説明する。ここでの設定変更制限処理とは、コンピューターＰＣ１，ＰＣ２が、携帯端末ＭＣを介さずに、有線ＬＡＮインターフェースを用いて直接的に有線ＬＡＮにアクセスするためにネットワーク設定の変更を行うことを制限する処理である。本実施例においては、設定変更制限処理は、上述のネットワーク設定処理の終了を契機として開始される。なお、かかる処理は、コンピューターＰＣ１のＣＰＵ３０が変更制限部３３の処理として行う処理である。
【００５４】
設定変更制限処理が開始されると、コンピューターＰＣ１のＣＰＵ３０は、自身のネットワーク設定が変更されることを待機している（ステップＳ６００）。ネットワーク設定が変更されたか否かの判断は、例えば、コンピューターＰＣ１のＣＰＵ３０が、ネットワーク設定の保存を行うＡＰＩ（Ａｐｐｌｉｃａｔｉｏｎ Ｐｒｏｇｒａｍｍｉｎｇ Ｉｎｔｅｒｆａｃｅ）をフックして、判断する構成としてもよい。あるいは、ＣＰＵ３０が、ネットワーク設定を所定のタイミングで読み込んでハードディスクドライブ５０の所定領域にバックアップしておき、当該バックアップと現状のネットワーク設定とを所定のタイミングで照合して判断する構成としてもよい。
【００５５】
その結果、ネットワーク設定が変更されれば（ステップＳ６００：ＹＥＳ）、ＣＰＵ３０は、ＩＣチップ６５に記憶されたネットワーク設定情報を読み込んで（ステップＳ６１０）、無線ＬＡＮの状態が有効であるか否かを判断する（ステップＳ６２０）。この判断は、図６（ａ）に示した、ネットワーク設定情報８１に含まれるネットワークの状態を示す情報を参照して行われる。
【００５６】
その結果、無線ＬＡＮの状態が「無効」であれば（ステップＳ６２０：ＮＯ）、上述のネットワーク設定解除処理によって、無線ＬＡＮに接続するためのネットワーク設定が解除されているということであり、ＣＰＵ３０は、設定変更制限処理を終了する。すなわち、ネットワーク設定の変更を特に制限しない。一方、無線ＬＡＮの状態が「有効」であれば（ステップＳ６２０：ＹＥＳ）、ＣＰＵ３０は、上記ステップＳ６００で検知したネットワーク設定の変更が、携帯端末ＭＣを用いたＩＣチップ６５へのネットワーク設定情報８１の書込みによって行われたネットワーク設定変更であるか否かを判断する（ステップＳ６３０）。ここでの判断は、ＩＣチップ６５に記憶されたネットワーク設定情報８１と変更されたネットワーク設定とを照合することで行う。
【００５７】
その結果、ＩＣチップ６５への書込みによって行われたものであれば（ステップＳ６３０：ＹＥＳ）、当該変更は管理者の管理下での適正な変更であるため、ＣＰＵ３０は、設定変更制限処理を終了する。一方、ＩＣチップ６５への書込みによって行われたものでなければ（ステップＳ６３０：ＮＯ）、当該変更は管理者の管理外で行われた不当な変更であり、無線ＬＡＮと有線ＬＡＮとを同時接続して、無線ＬＡＮの通信内容がコンピューターＰＣ１から有線ＬＡＮに漏洩する可能性があるため、ＣＰＵ３０は、ＩＣチップ６５に記憶されたネットワーク設定情報８１を読み込んで、ネットワーク設定情報８１の内容にネットワーク設定を変更する（ステップＳ６４０）。こうして、設定変更制限処理は終了となる。
【００５８】
Ａ−５．効果：
上述したネットワーク利用システム２０において、携帯端末ＭＣは、携帯端末ＭＣが保持するネットワーク設定情報８１のうちから、管理者によって選択された無線ＬＡＮに対応するネットワーク設定情報８１を、ＩＣチップライター９６を介して、コンピューターＰＣ１に送信する。一方、コンピューターＰＣ１は、ＩＣチップ６５で携帯端末ＭＣが送信したネットワーク設定情報８１を受信して、コンピューターＰＣ１にネットワーク設定を行う。したがって、コンピューターＰＣ１に対して無線ネットワーク設定を容易に行うことができる。また、ＩＣチップライター９６とＩＣチップ６５との間でネットワーク設定情報８１の受け渡しを行えるので、すなわち、携帯端末ＭＣの管理者の管理下で受け渡しを行えるので、当該受け渡しの過程でネットワーク設定情報８１が外部に漏洩することがなく、セキュリティを確保できる。
【００５９】
また、ネットワーク利用システム２０において、携帯端末ＭＣは、保持するクリア情報８２を、ＩＣチップライター９６を介して、コンピューターＰＣ１に送信する。一方、コンピューターＰＣ１は、ＩＣチップ６５で携帯端末ＭＣが送信したクリア情報８２を受信して、コンピューターＰＣ１のネットワーク設定をクリアする。したがって、コンピューターＰＣ１のネットワーク設定を容易にクリアすることができる。また、携帯端末ＭＣの管理者の管理下で、ネットワーク設定をクリアできるので、無期限にネットワーク設定が保存されて、携帯端末ＭＣの管理者の意に反したタイミングで無線ＬＡＮに接続されることがなく、セキュリティを確保できる。
【００６０】
また、ネットワーク利用システム２０において、携帯端末ＭＣは、複数の無線ＬＡＮに対応するネットワーク設定情報８１を保持しており、その中から携帯端末ＭＣの管理者が選択した無線ＬＡＮのネットワーク設定情報８１をコンピューターＰＣ１に送信する。したがって、携帯端末ＭＣを複数の無線ネットワークに対して使用することができ、利便性が高い。
【００６１】
また、ネットワーク利用システム２０において、携帯端末ＭＣは、有線ＬＡＮなどの外部ネットワークに接続可能であり、また、コンピューターＰＣ１は、携帯端末ＭＣを介して外部ネットワークに接続できる。ここで、携帯端末ＭＣは、コンピューターＰＣ１からの、自身を介した外部ネットワークへのアクセスを制限できるので、無線ＬＡＮでセキュアなネットワークを構築する場合に、外部ネットワークへの情報の漏洩を好適に管理することができる。
【００６２】
また、ネットワーク利用システム２０において、コンピューターＰＣ１は、外部ネットワークへの直接的な接続が可能であるが、コンピューターＰＣ１のネットワーク設定が、無線ＬＡＮに接続すると共に外部ネットワークに接続可能な内容に変更された際に、ネットワーク設定を無線ＬＡＮに対応する内容に変更し直す。したがって、コンピューターＰＣ１を無線ＬＡＮと外部ネットワークとに同時接続して、無線ＬＡＮの通信内容がコンピューターＰＣ１から外部ネットワークに漏洩することを阻止できるので、無線ＬＡＮでセキュアなネットワークを構築する場合に、外部ネットワークへの情報の漏洩を好適に管理することができる。なお、上述したネットワーク利用システム２０の種々の効果は、無線ＬＡＮをセキュアな閉鎖的ネットワーク、例えば、ＶＰＮで構築するような場合に顕著となる。
【００６３】
Ｂ．変形例：
上述の実施形態の変形例について説明する。
Ｂ−１．変形例１：
上述の実施形態では、外部ネットワークアクセス制限処理において、コンピューターＰＣ１から外部ネットワークへの送信データに機密情報が含まれていると判断され、かつ、管理者が送信不許可の判断をおこなった場合にのみ、アクセス制限を行う構成としたが、アクセス制限を行う場合は、上述の例に限られるものではなく、適宜設定すればよい。例えば、機密情報が含まれると判断された場合には、管理者への確認なしに、アクセス制限を行うものとしてもよい。あるいは、機密情報の有無の判断を行わず、常に、管理者の許可が得られた場合にのみ、アクセス制限を行ってもよい。もとより、コンピューターＰＣ１，ＰＣ２からの外部ネットワークへのアクセスを常に制限してもよい。
【００６４】
あるいは、アクセスの種類によって、携帯端末ＭＣが制限の有無を判断する構成としてもよい。例えば、ＨＴＴＰ要求に対してはアクセス制限を行わず、電子メール送信に対してはアクセス制限を行う構成としてもよい。このようなアクセスの種類は、例えば、ポート番号によって判断してもよい。これらのように、種々のアクセス制限の条件を設定することよって、状況に応じた柔軟な制限を行うことができる。
【００６５】
Ｂ−２．変形例２：
上述の実施形態においては、携帯端末ＭＣのハードディスクドライブ５０に記憶されるネットワーク設定情報８１は、管理者が予め入力したものであったが、ネットワーク設定情報８１をハードディスクドライブ５０に記憶させる方法は、管理者の入力に限らない。例えば、管理者は、携帯端末ＭＣを操作して、有線ＬＡＮインターフェース９７を介して、外部ネットワークに接続されたサーバーにアクセスして、必要なネットワーク設定情報８１を取得してもよい。こうすれば、携帯端末ＭＣの管理者は、ネットワーク設定情報８１を携帯端末ＭＣに直接入力する必要がなく、利便性が高い。特に、携帯端末ＭＣが複数台ある場合には、各携帯端末ＭＣにネットワーク設定情報８１を入力する必要がないので、その効果は顕著である。また、無線ＬＡＮが複数ある場合には、使用する無線ＬＡＮを予め決定しておかなくても、使用する無線ＬＡＮを決定したその場で、当該無線ＬＡＮに対応するネットワーク設定情報８１をコンピューターＰＣ１に送信することができ、利便性が高い。なお、サーバーと携帯端末ＭＣとのネットワーク設定情報８１の受け渡しのための通信は、暗号化して行ってもよい。こうすれば、セキュリティを向上させることができる。
【００６６】
Ｂ−３．変形例３：
上述の実施形態においては、ネットワーク端末としてのコンピューターＰＣ１，ＰＣ２と、携帯端末ＭＣとは個別の構成であったが、ネットワーク端末が携帯端末ＭＣを兼用する構成としてもよい。こうすれば、管理者がネットワーク端末で無線ＬＡＮに接続したい場合に、管理者は、携帯端末ＭＣとネットワーク端末の両方を操作する必要がないので、利便性が高い。また、携帯端末ＭＣは、可搬性に優れるので、ＩＣチップライター９６を用いて、ネットワーク設定情報８１を容易に送信することができる。
【００６７】
Ｂ−４．変形例４：
上述の実施形態においては、携帯端末ＭＣは、ネットワーク設定情報８１を暗号化せずに記憶していたが、ネットワーク設定情報８１を暗号化して記憶しておき、ＩＣチップ６５への書込みの際に復号化してもよい。また、暗号鍵は、ＴＰＭ（Ｔｒｕｓｔｅｄ Ｐｌａｔｆｏｒｍ Ｍｏｄｕｌｅ）などのセキュリティチップに格納してもよい。こうすれば、ネットワーク設定情報８１が部外者に漏洩する恐れが低減し、セキュリティを向上することができる。
【００６８】
Ｂ−５．変形例５：
上述の実施形態においては、携帯端末ＭＣとコンピューターＰＣ１との間でネットワーク設定情報８１をやり取りするための通信手段として、ＩＣチップライター９６及びＩＣチップ６５を用いたが、かかる通信手段は、非接触式の通信手段であればよく、例えば、ＢＬＵＥＴＯＯＴＨ（登録商標）、ＲＦＩＤ（Ｒａｄｉｏ Ｆｒｅｑｕｅｎｃｙ ＩＤｅｎｔｉｆｉｃａｔｉｎ）、赤外線などを利用するものであってもよい。また、上述の実施形態においては、通信手段としてのＩＣチップライター９６やＩＣチップ６５は、携帯端末ＭＣやコンピューターＰＣ１と一体的に形成されるものとして示したが、ＵＳＢインターフェースなどによって、携帯端末ＭＣやコンピューターＰＣ１に接続される構成としてもよい。
【００６９】
Ｂ−６．変形例６：
上述の実施形態においては、携帯端末ＭＣは、無線ＬＡＮに接続されている構成について示したが、ネットワーク設定処理を行うだけであれば、携帯端末ＭＣは、無線ＬＡＮに接続されていなくてもよい。
【００７０】
Ｂ−７．変形例７：
上述の実施形態においては、携帯端末ＭＣからクリア情報８２をコンピューターＰＣ１に送信して、コンピューターＰＣ１に設定されたネットワーク設定をクリアする構成について示したが、コンピューターＰＣ１が、所定のイベントを検知して、ネットワーク設定をクリアする構成としてもよい。こうしたイベントとしては、例えば、所定時間の経過やコンピューターＰＣ１が無線ＬＡＮの通信可能範囲から持ち出されたこととすることができる。こうすれば、携帯端末ＭＣの管理者が、ネットワーク設定をクリアすることを忘れても、コンピューターＰＣ１に無線ＬＡＮのネットワーク設定が無期限に保持されることがないので、セキュリティを確保できる。
【００７１】
Ｂ−８．変形例８：
本実施例においては、ネットワーク利用システム２０を構成する端末としてパーソナルコンピューターを用いる例を示したが、端末の種類は特に限定するものではなく、ＰＤＡなどの種々の端末とすることができる。また、携帯端末ＭＣも特に種類を限定するものではなく、ノート型パーソナルコンピューター、携帯電話など、種々の携帯端末とすることができる。
【００７２】
以上、本発明の実施形態について説明したが、上述した実施形態における本発明の構成要素のうち、独立クレームに記載された要素以外の要素は、付加的な要素であり、適宜省略可能である。また、本発明はこうした実施形態に限られるものではなく、本発明の要旨を脱しない範囲において、種々なる態様で実施できることは勿論である。また、本発明は、ネットワーク利用システムとしての構成のほか、それを構成するネットワーク端末や携帯端末、ネットワーク利用方法、コンピュータープログラム、当該プログラムを記録した記憶媒体等としても実現することができる。
【符号の説明】
【００７３】
２０...ネットワーク利用システム
３０...ＣＰＵ
３１...検出部
３２...設定部
３３...変更制限部
５０...ハードディスクドライブ
６１...ＲＯＭ
６２...ＲＡＭ
６３...入力機構
６４...ディスプレイ
６５...ＩＣチップ
６７...有線ＬＡＮインターフェース
６８...無線ＬＡＮインターフェース
７０...ＣＰＵ
７１...受付部
７２...送信部
７３...取得部
７４...アクセス制限部
８０...ハードディスクドライブ
８１...ネットワーク設定情報
８２...クリア情報
９１...ＲＯＭ
９２...ＲＡＭ
９３...入力機構
９４...ディスプレイ
９６...ＩＣチップライター
９７...有線ＬＡＮインターフェース
９８...無線ＬＡＮインターフェース
ＰＣ１，ＰＣ２...コンピューター
ＭＣ...携帯端末
Ｗ１〜Ｗ３...ウィンドウ
ＳＷ１，ＳＷ２...サブウィンドウ
ＰＢ...プルダウンボタン
【図１】
2010212880.tif 000003
【図２】
2010212880.tif 000004
【図３】
2010212880.tif 000005
【図４】
2010212880.tif 000006
【図５】
2010212880.tif 000007
【図６】
2010212880.tif 000008
【図７】
2010212880.tif 000009
【図８】
2010212880.tif 000010
【図９】
2010212880.tif 000011
【図１０】
2010212880.tif 000012